(57)【特許請求の範囲】
【請求項１】
使用者の前面を覆う前掛け部と、
前記前掛け部における前記使用者の首側とは反対側の部分に設けられ、食卓に載置される敷物部と、
前記敷物部における前記前掛け部とは反対側の端部の、左右両端部各々に該前掛け部とは反対側に延びるように設けられた帯部と、を備え、
前記左右の帯部各々に結び目が形成されることによって、前記前掛け部から前記敷物部に至る部分の左右両端部が起立する起立状態と、該左右の帯部各々に結び目が形成されない非起立状態とに変更可能に構成される、食事用エプロン。
【請求項２】
請求項１において、
前記敷物部における前記前掛け部とは反対側の端部の、左右両端よりも左右方向内側各々に切り込みが設けられ、
前記敷物部における前記前掛け部とは反対側の端部の、前記切り込みよりも左右方向外側の部分各々が前記左右の帯部を構成する、食事用エプロン。
【発明の詳細な説明】
【技術分野】
【０００１】
本発明は、食事用エプロンに関する。
【背景技術】
【０００２】
乳幼児や要介護者等が食事をする際、食べこぼしが衣服や食卓等へ付着することを防止するために、食事用エプロンが使用されることがある。
【０００３】
例えば特許文献１に係る食事用エプロンは、使用者の前面を覆う前掛け部（保護部）の下部に、食卓に載置する敷物部（食器載置面）が設けられている。また、前掛け部と敷物部との境界部及びその近傍の左右両端部各々には、袋部が設けられている。袋部は、コールゴムの収縮によって、形成されている。
【０００４】
かかる構成によれば、前掛け部と敷物部によって、衣服と食卓へ食べこぼしが付着することを防止することができる。さらに、袋部によって、食事用エプロンの脇、すなわち、食事用エプロンの左右両外側から食べこぼしが落下することを防止することができる。
【先行技術文献】
【特許文献】
【０００５】
【特許文献１】特開２００１−３１６９１８号公報
【発明の概要】
【発明が解決しようとする課題】
【０００６】
介護施設等では、上記特許文献１に示す袋部のような、食べこぼしの落下を防止する機能（以下、「食べこぼし落下防止機能」という）を備えた食事用エプロンのニーズが大きい。しかしながら、食べこぼし落下防止機能を備えないシンプルな食事用エプロンのニーズも依然として大きい。
【０００７】
したがって、介護施設等では、食べこぼし落下防止機能を備えた食事用エプロン、及び食べこぼし落下防止機能を備えない食事用エプロンの両方を保有する必要があった。このため、保管場所に保管された複数種類の食事用エプロンの中から必要な種類の食事用エプロンを選択して取り出す作業が必要であり煩わしいという問題や、保管場所の確保が困難であるという問題や、在庫管理が面倒であるという問題があった。
【０００８】
本発明は斯かる点に鑑みてなされたものであり、その主な目的とするところは、食べこぼし落下防止機能の有無を、使用時に選択することを可能にすることで、必要な食事用エプロンの種類を減らすことにある。
【課題を解決するための手段】
【０００９】
本発明に係る食事用エプロンは、使用者の前面を覆う前掛け部と、上記前掛け部における上記使用者の首側とは反対側の部分に設けられ、食卓に載置される敷物部と、上記敷物部における上記前掛け部とは反対側の端部の、左右両端部各々に上記前掛け部とは反対側に延びるように設けられた帯部と、を備え、上記左右の帯部各々に結び目が形成されることによって、上記前掛け部から上記敷物部に至る部分の左右両端部が起立する起立状態と、上記左右の帯部各々に結び目が形成されない非起立状態とに変更可能に構成される。
【００１０】
かかる構成によれば、左右の帯部各々に結び目が形成されることによって、前掛け部から敷物部に至る部分、すなわち、前掛け部と敷物部との境界部又はその近傍の左右両端部が起立する起立状態となる。これにより、前掛け部から敷物部に至る部分の左右両端部各々に側壁が形成されるので、食事用エプロンの脇から食べこぼしが落下することを抑制することができる。
【００１１】
また、帯部に結び目が形成されない非起立状態とすることで、食べこぼし落下防止機能を備えないシンプルな食事用エプロンとしても、使用することができる。
【００１２】
以上の通り、食べこぼし落下防止機能の有無を、使用時に選択することを可能にすることで、必要な食事用エプロンの種類を減らすことができる。
【００１３】
一実施形態では、上記敷物部における上記前掛け部とは反対側の端部の、左右両端よりも左右方向内側各々に切り込みが設けられ、上記敷物部における上記前掛け部とは反対側の端部の、上記切り込みよりも左右方向外側の部分各々が上記左右の帯部を構成する。
【００１４】
かかる構成によれば、切り込みを設けるだけで、帯部を形成することができるので、構造が簡単である。
【発明の効果】
【００１５】
本発明によれば、食べこぼし落下防止機能の有無を、使用時に選択することを可能にすることで、必要な食事用エプロンの種類を減らすことができる。
【図面の簡単な説明】
【００１６】
【図１】図１は、本発明の実施形態に係る食事用エプロンを示す正面図である。
【図２】図２は、非起立状態における食事用エプロンの使用態様を示す斜視図である。
【図３】図３は、起立状態における食事用エプロンの使用態様を示す斜視図である。
【図４】図４は、図３におけるＩＶ矢視図である。
【発明を実施するための形態】
【００１７】
以下、本発明の実施形態を図面に基づいて詳細に説明する。以下の好ましい実施形態の説明は、本質的に例示に過ぎず、本発明、その適用物あるいはその用途を制限することを意図するものでは全くない。
【００１８】
図１は、本発明の実施形態に係る食事用エプロン１を示す。図２，３は、食事用エプロン１の使用態様を示す。なお、詳細は後述するが、図２に示す食事用エプロン１は非起立状態、図３に示す食事用エプロン１は起立状態である。図４は、図３におけるＩＶ矢視図である。食事用エプロン１は、乳幼児や要介護者等が食事をする際に使用され、食べこぼしが衣服や食卓等へ付着することを防止する。食事用エプロン１は、例えばポリエチレン等の合成樹脂で構成されている。食事用エプロン１は、一体物であり、１枚のシートを所定の形状に切断することによって形成されている。食事用エプロン１は、使い捨てタイプであり、１回〜数回使用した後に廃棄される。このため、介護施設等では、食事用エプロン１を、常に在庫として保管しておく必要がある。
【００１９】
図１に示すように、食事用エプロン１は、前掛け部１０を備える。図２，３に示すように、前掛け部１０は、使用者Ａの前面を覆う。具体的には、前掛け部１０は、使用者Ａの首から胸にかけての部分を覆う。食事用エプロン１は、首掛け部２０を備える。首掛け部２０は、前掛け部１０における使用者Ａの首側の部分に設けられている。食事用エプロン１は、敷物部３０を備える。敷物部３０は、前掛け部１０における使用者Ａの首側とは反対側の部分に設けられている。以下、敷物部３０における前掛け部１０側（図１における上側）を「上側」、敷物部３０における前掛け部１０とは反対側（図１における下側）を「下側」という場合がある。また、食事用エプロン１を正面側から見て左側（図１における左側）を「左側」、食事用エプロン１を正面側から見て右側（図１における右側）を「右側」という。
【００２０】
首掛け部２０には、使用者Ａの首周りの大きさに相当する略円形状の孔部２１が形成されている。使用者Ａが食事用エプロン１を装着する際、孔部２１には、使用者Ａの首が通される。孔部２１の周縁部２２は、襟ぐり部を構成している（以下、「襟ぐり部２２」という）。使用者Ａが食事用エプロン１を装着したとき、襟ぐり部２２は、使用者Ａの首周りに沿う。襟ぐり部２２は、上側の部分（使用者Ａが食事用エプロン１を装着したとき、使用者Ａの首の後側に沿う部分）が切断されている。すなわち、襟ぐり部２２は、左側部分２３と右側部分２４とに、分かれている。襟ぐり部２２の左側部分２３には、両面テープ２５が貼着されている。左側部分２３と右側部分２４とは、両面テープ２５によって、互いに接続可能である。
【００２１】
襟ぐり部２２の下側（使用者Ａが食事用エプロン１を装着したとき、使用者Ａの首の前側に沿う部分）には、当接片２６が設けられている。当接片２６は、孔部２１の内側に向けて延びている。図２,３に示すように、使用者Ａが食事用エプロン１を装着したとき、当接片２６は、内側に折り込まれて、使用者Ａの胸上部の前側に当接する。
【００２２】
図２，３に示すように、使用者Ａが食事をする際、敷物部３０は、食卓Ｔに載置される。すなわち、敷物部３０は、ランチョンマットとしての機能を有する。食事用エプロン１は、図１に示すように、２つの帯部４０，４０を備える。帯部４０,４０は、敷物部３０における前掛け部１０とは反対側（下側）の端部３１（以下、「下端部３１」という）の左右両端部３２，３２各々に、設けられている。各帯部４０は、前掛け部１０とは反対側（下側）に延びるように設けられている。
【００２３】
帯部４０，４０は、敷物部３０に切り込み３３，３３を設けることによって、形成されている。切り込み３３，３３は、敷物部３０の下端部３１の左右両端３２ａ，３２ａよりも左右方向内側各々に、設けられている。左右の帯部４０，４０は、敷物部３０の下端部３１における切り込み３３，３３よりも左右方向外側の部分各々で構成されている。
【００２４】
左右の帯部４０，４０各々の先端部（下端部）は、敷物部３０の下端部３１の中央部（左右の切り込み３３，３３よりも左右方向内側）よりも、前掛け部１０側（上側）に位置している。また、左右の帯部４０，４０各々は、上下に底辺を有する略台形状であり、下側の底辺（下底）の幅の方が上側の底辺（上底）の幅よりも細い。
【００２５】
切り込み３３は、半径Ｒの半円状に形成されている。なお、図１に示すＢは、帯部４０の幅（太さ）である。Ｌは、帯部４０の長さである。帯部４０の幅Ｂは、５０ｍｍ〜３００ｍｍの範囲内であることが好ましく、７０ｍｍ〜１００ｍｍの範囲内であることがより好ましい。帯部４０の長さＬは、８０ｍｍ〜４００ｍｍの範囲内であることが好ましく、１００ｍｍ〜１３０ｍｍの範囲内であることがより好ましい。
【００２６】
図３に示すように、帯部４０には、結び目４１を形成することができる。左右の帯部４０，４０各々に結び目４１，４１が形成されることによって、食事用エプロン１は、前掛け部１０から敷物部３０に至る部分の左右両端部が起立する起立状態となる。これにより、図４に詳示するように、前掛け部１０から敷物部３０に至る部分の左右両端部に、側壁４２，４２が形成される。そして、左右の側壁４２，４２の間には、食べこぼしを収容するポケット４３が形成される。なお、「前掛け部１０から敷物部３０に至る部分」とは、前掛け部１０と敷物部３０との境界部乃至その近傍をいう。
【００２７】
なお、図２に示すように、食事用エプロン１は、左右の帯部４０，４０各々に結び目４１，４１が形成されない非起立状態にもなり得る。非起立状態では、前掛け部１０から敷物部３０に至る部分の左右両端部は、起立しない。すなわち、側壁４２，４２及びポケット４３は、形成されない。このように、食事用エプロン１は、起立状態と、非起立状態とに変更可能に構成される。
【００２８】
以上の通り、本実施形態によれば、図３，４に示すように、左右の帯部４０，４０各々に結び目４１，４１が形成されることによって、前掛け部１０から敷物部３０に至る部分、すなわち、前掛け部１０と敷物部３０との境界部乃至その近傍の左右両端部が起立する起立状態となる。起立状態において、前掛け部１０から敷物部３０に至る部分の左右両端部各々に側壁４２，４２が形成され、左右の側壁４２，４２の間にポケット４３が形成される。したがって、食べこぼしがポケット４３に収容されるので、食事用エプロン１の脇から食べこぼしが落下することを抑制することができる。
【００２９】
また、図２に示すように、左右の帯部４０，４０に結び目４１，４１が形成されない非起立状態とすることで、食べこぼし落下防止機能を備えないシンプルな食事用エプロン１としても、使用することができる。
【００３０】
以上の通り、食べこぼし落下防止機能の有無を、使用者Ａや介助者等が使用時に選択することを可能にすることで、必要な食事用エプロン１の種類を減らすことができる。
【００３１】
ところで、帯部を有さない従来の食事用エプロンにおいて、敷物部の下端部の左右両端部（角隅部）各々を結ぶことによっても、前掛け部から敷物部に至る部分の左右両端部を起立させて、側壁を形成することができる。しかし、この場合、敷物部の下端部も起立してしまい、下壁部が形成されてしまう。したがって、従来の食事用エプロンでは、使用者が食事中に不意に立ち上がった場合等に、上記下壁部が敷物部の上に載せられた食器等に引っかかってしまい、食器等が食卓から落下してしまう懸念があった。
【００３２】
本実施形態では、敷物部３０の下端部３１の左右両端部３２，３２各々に帯部４０，４０を設けることで、上記下壁部が形成されないようにしている。したがって、使用者Ａが食事中に不意に立ち上がった場合等に、食器等が食卓Ｔから落下することを、抑制することできる。
【００３３】
左右の切り込み３３，３３を設けるだけで、左右の帯部４０、４０を形成することができるので、構造が簡単である。
【００３４】
帯部４０の長さＬが長すぎると、帯部４０における前掛け部１０から遠い部分（下側部分）において、結び目４１が形成される可能性が高くなる。帯部４０における前掛け部１０から遠い部分（下側部分）で結び目４１を形成しても、前掛け部１０から敷物部３０に至る部分の左右両端部が起立せず、側壁４２（ポケット４３）が形成されないことがある。一方、帯部４０の長さＬが短すぎると、帯部４０を結びにくくなり、帯部４０に結び目４１を形成すること自体が困難となる。したがって、帯部４０の長さＬを８０ｍｍ〜４００ｍｍ、より好ましくは１００ｍｍ〜１３０ｍｍの範囲内にすることで、帯部４０の結び易さと、側壁４２（ポケット４３）の形成の確実性とを、両立することができる。
【００３５】
帯部４０を結んで結び目４１を形成する際に、帯部４０の根本部分（上側部分）を結ぶと、前掛け部１０の下側部分を巻き込むことができるので、側壁４２（ポケット４３）が形成される範囲が広くなる。しかし、帯部４０の幅Ｂが細すぎると、帯部４０をその根本部分（上側部分）で結んでも、前掛け部１０の下側部分を巻き込むことができないことがある。一方、帯部４０の幅Ｂが太すぎると、帯部４０を結びにくくなり、帯部４０に結び目４１を形成すること自体が困難となる。そこで、帯部４０の幅Ｂを５０ｍｍ〜３００ｍｍ、より好ましくは７０ｍｍ〜１００ｍｍの範囲内にすることで、簡単に、帯部４０の根本部分（上側部分）を結んで、前掛け部１０の下側部分を巻き込むことができる。したがって、簡単に、広範囲に側壁４２，４２（ポケット４３）を形成することができる。
【００３６】
切り込み３３が半径Ｒを有する半円状に目立つように形成されているので、使用者Ａが帯部４０を簡単に発見することができる。
【００３７】
略台形状の帯部４０において、下側の底辺（下底）の幅の方が上側の底辺（上底）の幅よりも細いので、使用者Ａは、帯部４０を簡単に掴んで結ぶことができる。
【００３８】
仮に、左右の帯部４０，４０各々の先端部（下端部）が敷物部３０の下端部３１の中央部よりも、前掛け部１０とは反対側（下側）に位置していると、食事用エプロン１を非起立状態で使用する際に、食卓に載置された帯部４０，４０が邪魔となる。本実施形態では、左右の帯部４０，４０各々の先端部（下端部）が上記中央部よりも前掛け部１０側（上側）に位置しているので、図２に示すように、食事用エプロン１を非起立状態で使用する際に、食卓に載置された帯部４０，４０が邪魔にならない。したがって、非起立状態の食事用エプロン１を、より好適に使用することができる。
【００３９】
首掛け部２０の当接片２６が使用者Ａの胸上部の前側に当接することで、孔部２１を通じて前掛け部１０の内側に、食べこぼしが落下することを抑制することができる。
【００４０】
以上、本発明を好適な実施形態により説明してきたが、こうした記述は限定事項ではなく、勿論、種々の改変が可能である。
【００４１】
本実施形態では、切り込み３３を半円状としたが、これに限定されない。例えば、スリット状、等でもよい。
【００４２】
本実施形態では、敷物部３０の下端部３１の左右両端部３２，３２の２か所に切り込み３３，３３を設けたが、これに限定されない。敷物部３０の下端部３１の略中央部の１箇所に切り込みを設けて、当該切り込みの左右両側の部分（左右両端部）を、左右の帯部４０，４０としてもよい。
【００４３】
半円状の切り込み３３をシートで塞いで、当該シートと敷物部３０における切り込み３３の縁部とをミシン目で接続してもよい。これにより、非起立状態で使用する場合に、切り込み３３が邪魔にならない。なお、起立状態で使用する場合には、当該ミシン目を破いて当該シートを除去して、切り込み３３及び帯部４０を形成すればよい。また、切り込みがスリット状の場合、当該スリット状の切り込みをミシン目で塞いでもよい。
【００４４】
本実施形態では、左右の帯部４０，４０は、左右の切り込み３３，３３を設けることによって形成されていたが、これに限定されない。左右の帯部４０，４０は、例えば、敷物部３０の下端部３１の左右両端部３２，３２各々に溶着された帯片で構成されてもよい。
【００４５】
本実施形態では、食事用エプロン１は、一体物であったが、これに限定されない。食事用エプロン１は、例えば、上記帯片を溶着した構成、等でもよい。なお、製造コストを抑えるという観点に照らせば、食事用エプロン１は、本実施形態のように、一体物である方がよい。
【００４６】
本実施形態では、食事用エプロン１は、ポリエチレン等の合成樹脂で構成されていたが、これに限定されない。食事用エプロン１は、例えば、布（織物）で構成されてもよい。なお、食事用エプロン１は、起立状態を長時間保持するために、ある程度固い材質で構成された方がよい。
【産業上の利用可能性】
【００４７】
本発明は、食事用エプロンに適用することができるので、極めて有用であり、産業上の利用可能性が高い。
【符号の説明】
【００４８】
Ａ      使用者
Ｔ      食卓
１      食事用エプロン
１０    前掛け部
３０    敷物部
３１    下端部（端部）
３２    左右両端部
３２ａ  左右両端
３３    切り込み
４０    帯部
４１    結び目
４２    側壁
４３    ポケット
【要約】
【課題】食べこぼし落下防止機能の有無を、使用時に選択することを可能にすることで、必要な食事用エプロンの種類を減らす。
【解決手段】食事用エプロン１は、使用者Ａの前面を覆う前掛け部１０と、前掛け部１０における使用者Ａの首側とは反対側の部分に設けられ、食卓Ｔに載置される敷物部３０と、敷物部３０における前掛け部１０とは反対側の端部３１の、左右両端部３２各々に前掛け部１０とは反対側に延びるように設けられた帯部４０と、を備える。食事用エプロン１は、左右の帯部４０各々に結び目４１が形成されることによって、前掛け部１０から敷物部３０に至る部分の左右両端部が起立する起立状態と、左右の帯部４０各々に結び目４１が形成されない非起立状態とに変更可能に構成される。
【選択図】図３【図１】
0006846831.tif 000002
【図２】
0006846831.tif 000003
【図３】
0006846831.tif 000004
【図４】
0006846831.tif 000005